(57)【要約】【課題】  カラースキャン機能を有する画像処理装置において、黒い文字／細線を純粋な黒信号に変換する黒文字処理機能や、読取った原稿がカラーかモノクロかを判定し、スキャンのカラーモードを切り替えるＡＣＳ機能がある。単一の判定閾値では読取装置のばらつきに対して対応しきれないという課題がある。【解決手段】  圧板読取り時ならびにＡＤＦ読取り時それぞれにおいて、黒文字処理の感度とＡＣＳ判定の感度をそれぞれ独立に設定できるようにする。【選択図】  図１
2010021628.tif 000002
【特許請求の範囲】
【請求項１】
読取装置により光学的に読取った原稿上の画像をデジタル画像データに変換し、画像処理を施す画像処理装置において
操作部と
注目画素について有彩色であるか無彩色であるかを判定する第一の無彩／有彩判定手段と
第二の有彩／無彩判定手段と
原稿上の文字部／線画部と非文字部／非線画部を分離する像域分離手段と
前記像域分離手段により文字部／線画部と判定された画素に対して、前記第一の有彩／無彩判定手段の判定結果に基づいて黒文字処理を施す黒文字処理手段と
前記第二の有彩／無彩判定手段の判定結果に基づいて、原稿がカラー原稿かモノクロ原稿かを判定するカラー判定手段とを有しており
前記第一の有彩／無彩判定手段の第一の閾値と第二の有彩／無彩判定手段の第二の閾値とを操作部からの入力にしたがってそれぞれ設定する設定手段を有することを特徴とする画像処理装置。
【請求項２】
前記カラー判定手段は前記第二の有彩／無彩判定手段により有彩色もしくは無彩色と判定された画素の量を原稿の全体においてカウントし、該カウント値と第三の閾値との比較の結果に基づいて原稿をカラー判定し、
操作部からの入力にしたがって第二の有彩／無彩判定手段の閾値を設定した時に、その設定値に基づいてカラー判定手段の第三の閾値も設定されることを特徴とする請求項１に記載の画像処理装置。
【請求項３】
前記読取装置は圧板読取り方法とＡＤＦ読取り方法を具備しており、前記操作部からの設定の時には圧板読取り時の第一の有彩／無彩判定手段の第一の閾値とＡＤＦ読取り時の第二の有彩／無彩判定の第２の閾値をそれぞれ独立に設定できることを特徴とする請求項１又は２に記載の画像処理装置。
【発明の詳細な説明】
【技術分野】
【０００１】
本発明は原稿を読取り、原稿中の画素の有彩色／無彩色判定を行い、これを元に原稿中の黒い文字／細線に該当する画素信号を純粋な黒信号に変換する黒文字処理や、原稿のカラー／モノクロ判定を行う画像処理装置に関する。
【背景技術】
【０００２】
従来のカラースキャン機能を有する画像処理装置においては
黒い文字／細線（以後黒文字）が記載されている原稿をカラースキャンする際に黒文字部分を判定し、該黒文字部分を純粋な黒信号に変換する黒文字処理機能がある。
【０００３】
また、原稿をデジタル的に読取った読取画像の各画素について有彩色／無彩色の判定を行い、それらが原稿中（原稿の全体）に占める割合を元に、原稿のカラー／モノクロ判定を行うことでスキャンのカラーモードを切り替えるＡＣＳ機能がある。ＡＣＳは、Ａｕｔｏ  Ｃｏｌｏｒ  Ｓｅｌｅｃｔの略である。
【０００４】
前者により、カラースキャン時の黒文字部の鮮鋭さが増し、高品質なカラースキャン画像を提供している。
【０００５】
後者によりユーザーに煩雑なカラーモード設定をさせずとも最適なカラーモードでのスキャン画像を提供している。
【０００６】
これらの機能はカラースキャンした画像データに対して、黒文字部分の判定や有彩色／無彩色の判定を画像処理によって実現している。
【０００７】
しかし、これらの判定を特定の閾値に基づいて行っているが、ユーザーが所望する結果と必ずしも一致しないことがある。これは、原稿を読取るスキャナの光学特性や機械的なブレ等のデバイス特性のばらつきによるもの、また、閾値自体がユーザーの感覚に対して元々ずれているなどが要因となる。
【０００８】
このようなユーザーの所望する結果と、画像処理結果とのずれを解消するために、特許文献１のような提案がなされている。
【０００９】
この提案では、原稿上の文字領域、写真領域、網点領域といった画像属性を判定する画像処理装置に対して、所望の属性結果を操作部から入力する。そして原稿を読取って属性判定した結果が前記所望の属性結果になるまで判定パラメータを徐々に可変させてそれを繰り返している。これによりユーザーが所望する画像処理結果が施された画像を提供するものである。
【特許文献１】特開平１０−２７１３２７
【発明の開示】
【発明が解決しようとする課題】
【００１０】
しかしながら、従来の技術ではユーザーが所望する結果が得られるまで、判定処理を繰り返す必要があり、初期パラメータでの判定結果と所望の判定結果に大きな乖離がある場合は処理時間が多くかかってしまう。また、画像処理装置が提供した結果が充分でない場合は修正の手段がなく、ユーザーの所望する結果を得づらいという課題がある。
【課題を解決するための手段】
【００１１】
上記課題を解決するために、本発明の画像処理装置は
操作部と注目画素について有彩色であるか無彩色であるかを判定する第一の無彩／有彩判定手段と第二の有彩／無彩判定手段と原稿上の文字部／線画部と非文字部／非線画部を分離する像域分離手段と前記像域分離手段により文字部／線画部と判定された画素に対して、前記第一の有彩／無彩判定手段の判定結果に基づいて黒文字処理を施す黒文字処理手段と前記第二の有彩／無彩判定手段の判定結果に基づいて、原稿がカラー原稿かモノクロ原稿かを判定するカラー判定手段とを有しており前記第一の有彩／無彩判定手段の第一の閾値と第二の有彩／無彩判定手段の第二の閾値とを操作部からの入力にしたがってそれぞれ設定する設定手段を有することを特徴とする。
【発明の効果】
【００１２】
ＡＣＳ機能の感度と黒文字処理機能の感度をＡＤＦ読取り時と圧板読取り時でそれぞれ最適なものを設定することができる画像処理装置を実現できる。これらを実現することで、ユーザーが所望する画像処理結果を提供することが可能となる。
【発明を実施するための最良の形態】
【００１３】
以下、本発明を実施するための最良の形態について図面を用いて説明する。
【００１４】
本提案の画像処理装置は図１に示すように、スキャナ１０２と画像処理部１０１と操作部１１１から構成されている。
【００１５】
光学的に原稿上の画像を読取ることでデジタル画像データを取得するスキャナ１０２はデジタル画像データとして１画素毎にＲ１、Ｇ１、Ｂ１（赤、緑、青）の３チャンネルの信号を出力する。スキャナ１０２をより詳細に図解したものが図４である。これは圧板ガラス４０１、読取りユニット４０２、ＡＤＦ（Ａｕｔｏ  Ｄｏｃｕｍｅｎｔ  Ｆｅｅｄｅｒ）から構成されている。
【００１６】
原稿４０４を圧板ガラス４０１においた場合は読取りユニットがＢの位置からＣの位置まで移動しながら原稿上の画像を走査して読取る圧板読取りを実施する。
【００１７】
原稿４０４をＡＤＦにおいた場合は原稿４０４がＡＤＦ内部で搬送される。読取りユニット４０２がＡの位置に移動して位置固定し、原稿上の画像を走査して読取るＡＤＦ読取りを実施する。
【００１８】
像域分離部１０３はデジタル画像データをラスター状に走査し、注目画素がエッジ部かどうかを判断し、また、その画素が原稿上の網点画像を構成している画素か否か検査する。そしてエッジかつ網点構成画素ではない画素を線画のエッジ部として判定する。こうすることで原稿上の文字（文字部）／線画（線画部）であろうエッジ部と非文字（非文字部）／非線画（非線画部）である部分とを分離することができる。像域分離部１０３の出力は文字／線画のエッジ部と判定した画素を指し示す像域信号となる。
【００１９】
第一の色変換部１０４はスキャナ１０２からのＲ１、Ｇ１、Ｂ１信号を関数演算し、明るさを表す明度信号Ｌ１、および色度信号（Ｃａ１、Ｃｂ１）に変換される。明度信号Ｌ１及び色度信号（Ｃａ１、Ｃｂ１）は、測職的にＣＩＥ１９７６（Ｌ＊、ａ＊、ｂ＊）色空間の３変数Ｌ＊、ａ＊、ｂ＊やＣＩＥ１９７６（Ｌ＊、ｕ＊、ｖ＊）色空間の３変数Ｌ＊、ｕ＊、ｖ＊でも良いし、更に簡易的に決められた任意の色空間でも良い。
【００２０】
次式（１）はＲ１、Ｇ１、Ｂ１信号を明度及び色度信号のＬ１、Ｃａ１、Ｃｂ１に簡易的に色変換する変換式の一例を示しており、その演算が簡易的なことから本実施例ではこれを用いている。
Ｌ１＝（Ｒ１＋２＊Ｇ１＋Ｂ１）／４
Ｃａ１＝（Ｒ１−Ｇ１）／２
Ｃｂ１＝（Ｒ１＋Ｇ１−２＊Ｂ１）／４      ・・・・式（１）
【００２１】
これらＬ１、Ｃａ１、Ｃｂ１信号は黒文字処理部１０７、第一の有彩／無彩判定部１０５、第二の有彩／無彩判定部１０６に入力される。なお、本明細書では、有彩／無彩判定部のことを無彩／有彩判定部と称することもある。
【００２２】
注目画素の色度信号Ｃａ１、Ｃｂ１が成すベクトルはその絶対値が彩度を表し、向きが色相を示している。
【００２３】
第一の有彩／無彩判定部１０５はＣａ１、Ｃｂ１が成すベクトルの絶対値を第一の閾値と比較し、評価することで注目画素が有彩色か無彩色かを判定し、第一の有彩／無彩信号を出力する。また、Ｃａ１、Ｃｂ１平面の第一象限から第四象限のどこに位置するか、即ち色相によって第一の閾値をそれぞれの象限毎に設けても良い。
【００２４】
第二の有彩／無彩判定部１０５はＣａ１、Ｃｂ１が成すベクトルの絶対値を第二の閾値と比較し、評価することで注目画素が有彩色か無彩色かを判定し、第一の有彩／無彩信号を出力する。また、Ｃａ１、Ｃｂ１平面の第一象限から第四象限のどこに位置するか、即ち色相によって第二の閾値をそれぞれの象限毎に設けても良い。
【００２５】
黒文字処理部１０７は前記像域分離部１０３の出力である像域信号と第一の有彩／無彩判定部１０５の出力である第一の有彩／無彩判定信号、そして第一の色変換部１０４からのＬ１、Ｃａ１、Ｃｂ１信号を元に注目画素の黒文字処理を行う。注目画素が文字／線画のエッジ部で、かつ無彩色である場合は、該注目画素が黒い文字／線画であると判断する。そして、該注目画素のＣａ１、Ｃｂ１信号を０に抑制する。これにより注目画素の彩度が０になり、後述する式（２）によってＲ＝Ｇ＝Ｂの無彩色を表すＲＧＢ値になることが分かる。注目画素が非文字／非線画であるもしくは、有彩色である場合はＣａ、Ｃｂ信号に処理は加えない。このような処理を施し、Ｌ２、Ｃａ２、Ｃｂ２を出力する。
【００２６】
第二の色変換部１０８はＬ２、Ｃａ２、Ｃｂ２をＲ２、Ｇ２、Ｂ２信号に色変換する。次式（２）は第二の色変換部で演算される変換式の一例を示しており、前述した式（１）から求まるものである。
Ｒ２＝（４＊Ｌ２＋５＊Ｃａ２＋２＊Ｃｂ２）／４
Ｇ２＝（４＊Ｌ２−３＊Ｃａ２＋２＊Ｃｂ２）／４
Ｂ２＝（４＊Ｌ２＋Ｃａ２−６＊Ｃｂ２）／４          ・・・・式（２）
【００２７】
ＡＣＳ判定部１１０は、読み込んだデジタル画像データ中に存在する第二の有彩／無彩判定信号の量をカウントして閾値と比較することで、読み込んだ原稿がカラー原稿であるかモノクロ原稿であるかを判断する。
【００２８】
閾値以上の有彩色判定結果が存在する場合は原稿をカラー原稿と判断し、閾値に満たない場合は原稿をモノクロ原稿と判断する。そして、ＡＣＳ判定信号を出力する。
【００２９】
カラーモノクロ変換部１０９は前記ＡＣＳ判定部１１０からのＡＣＳ判定信号と第二の色変換部１０８からのＲ２、Ｇ２、Ｂ２信号を入力とし、ＡＣＳ判定信号を元にＲ２、Ｇ２、Ｂ２信号を色変換して、Ｒ３、Ｇ３、Ｂ３信号を出力する。ＡＣＳ判定信号がカラー原稿を示している場合は次式（３）により出力信号を生成する。
Ｒ３＝Ｒ２
Ｇ３＝Ｇ２
Ｂ３＝Ｂ２                              ・・・・式（３）
【００３０】
ＡＣＳ判定信号がモノクロ原稿を示している場合は、カラー画像信号をモノクロ画像信号に変換する。
【００３１】
次式（４）はカラーモノクロ変換を実施する変換式の一例である。
Ｒ３＝Ｇ３＝Ｂ３＝（３＊Ｒ２＋４＊Ｇ２＋Ｂ２）／８  ・・・・式（４）
モノクロ画像信号は１チャンネル信号であるが、式（４）のようにＲ３、Ｇ３、Ｂ３の３つの信号線にモノクロ画像信号を乗せても良いし、どれか１チャンネルにモノクロ画像信号を乗せても良い。
【００３２】
操作部１１１は図２に示すようにすくなくとも表示部２０１、スタートキー２０４、ストップキー２０３、で構成されている。
【００３３】
表示部２０１はＬＣＤ（Ｌｉｑｕｉｄ  Ｃｒｙｓｔａｌ  Ｄｉｓｐｌａｙ）などのディスプレイデバイスであり、更にはタッチパネルの機能を有していても良い。
【００３４】
スタートキー２０２は画像処理装置１０１の動作開始を指定するためのハードキーである。
ストップキー２０３は画像処理装置１０１の動作停止を指定するためのハードキーである。
【００３５】
本実施例では操作部１１１は第一の有彩／無彩判定部１０５と第二の有彩／無彩判定部１０６とＡＣＳ判定部に接続されている。
【００３６】
図３は本提案の実施の形態を示すフローチャートである。図３とその他図を用いて本提案の画像処理装置の動作を説明する。
【００３７】
操作部１１１では圧板読取り時ならびにＡＤＦ読取り時それぞれにおけるＡＣＳ判定の設定入力と黒文字処理の設定入力が可能となっている。図５は圧板読取り時のＡＣＳ判定の設定画面を示している。図６はＡＤＦ読取り時のＡＣＳ判定の設定画面を示している。図７は圧板読取り時の黒文字処理の設定画面を示している。図８はＡＤＦ読取り時の黒文字処理の設定画面を示している。これら４つは独立した画面に表示されても良いし、ひとつの画面にまとめて表示されていても良い。
【００３８】
ＡＤＦ読取り時は圧板読み取り時に対して、紙搬送時に発生する原稿のばたつきや図示しない搬送ローラなどの構成部品に対する原稿の突入、脱出ショックなどの影響で、色ずれやボケがデジタル画像データ上に発生してしまう。
【００３９】
よって各種判定に用いる閾値はＡＤＦ読取り時と圧板読取り時でそれぞれ最適なものを設定することが望ましい。
【００４０】
図５ならびに図６のＡＣＳ設定画面ではポインタ５０１ならびにポインタ６０１が左に行くほどカラー判定優先となり右に行くほどモノクロ判定優先となっている。図５ならびに図６で表しているのは中心値に対して±３段階設定できる場合の例である。
【００４１】
ポインタの位置はタッチパネル方式で直接指示されても良いし、操作部１１１に別途ハードキーで方向キーを設けて、これから指示を受けても良い。
【００４２】
図７ならびに図８の黒文字処理設定画面ではポインタ７０１ならびにポインタ８０１が左に行くほど色文字判定優先となり右に行くほど黒文字判定優先となっている。図７ならびに図６で表しているのは中心値に対して±３段階設定できる場合の例である。
【００４３】
ポインタの位置はタッチパネル方式で直接指示されても良いし、操作部１１１に別途ハードキーで方向キーを設けて、これから指示を受けても良い。
【００４４】
ここでＡＣＳ設定画面のカラー判定優先とは前述した第二の有彩／無彩判定部１０６の第二の閾値をカラー判定しやすい値にしたものである。即ち、Ｃａ、Ｃｂ平面でみると閾値が小さくなることである。対してモノクロ判定優先とは閾値が大きくなることである。
【００４５】
これらの閾値を中心値も含めて７段階用意し、ポインタ５０１ならびにポインタ６０１が指し示す位置に対応付ける。
【００４６】
さらに、ＡＣＳ設定画面のカラー判定優先とは前記ＡＣＳ判定部１１０の閾値をカラー判定しやすい値にしたものである。即ち閾値の値が小さくなることである。対してモノクロ判定優先とは閾値が大きくなることである。
【００４７】
これらの閾値を中心値も含めて７段階用意して前記第二の無彩色判定部１０６の閾値と共にポインタ５０１ならびにポインタ６０１が指し示す位置に対応付けても良い。
【００４８】
また黒文字処理設定画面の色文字判定優先とは前述した第一の有彩／無彩判定部１０５の第一の閾値をカラー判定しやすい値にしたものである。即ち、Ｃａ、Ｃｂ平面でみると閾値が小さくなることである。対して黒文字判定優先とは閾値が大きくなることである。
【００４９】
これらの閾値を中心値も含めて７段階用意し、ポインタ７０１ならびにポインタ８０１が指し示す位置に対応付ける。
【００５０】
ステップ３０２では図５から図８の各種設定画面におけるユーザーからの入力を受け付ける。
【００５１】
ステップ３０２では原稿がスキャナ１０２の圧板ガラス４０１に積載されているのか、ＡＤＦに積載されているかの判断を行う。
【００５２】
ステップ３０２においてＡＤＦ４０３に原稿が積載されている場合は図６に示すＡＤＦ読取り時のＡＣＳ設定画面にて受け付けた設定値に対応した閾値を第二の有彩／無彩判定部１０６に設定する。また、同時にＡＣＳ判定部１１０に設定する。（ステップ３０３）
更に、図８に示すＡＤＦ読取り時の黒文字処理設定画面にて受け付けた設定値に対応した閾値を第一の有彩／無彩判定部１０５に設定する。（ステップ３０４）
操作部１１１にて画像処理動作開始の入力を受け付けると、スキャナ１０２から原稿読取を開始する。（ステップ３０５）
そして図１に示す画像処理部１０１はステップ３０３ならびに３０４で設定された閾値を用いて画像処理を実施する。（ステップ３０６）
ステップ３０２において圧板ガラス４０１に原稿が積載されている場合は図５に示す圧板読取り時のＡＣＳ設定画面にて受け付けた設定値に対応した閾値を第二の有彩／無彩判定部１０６に設定する。また、同時にＡＣＳ判定部１１０に設定する。（ステップ３０７）
更に、図７に示す圧板読取り時の黒文字処理設定画面にて受け付けた設定値に対応した閾値を第一の有彩／無彩判定部１０５に設定する。（ステップ３０８）
操作部１１１にて画像処理動作開始の入力を受け付けると、スキャナ１０２から原稿読取を開始する。（ステップ３０９）
そして図１に示す画像処理部１０１はステップ３０７ならびに３０８で設定された閾値を用いて画像処理を実施する。（ステップ３１０）
以上説明した本発明の実施の形態によりＡＣＳ機能の感度と黒文字処理機能の感度をＡＤＦ読取り時と圧板読取り時でそれぞれ最適なものを設定することができる画像処理装置を実現できる。これらを実現することで、ユーザーが所望する画像処理結果を提供することが可能となる。
【図面の簡単な説明】
【００５３】
【図１】画像処理装置
【図２】操作部の構成図
【図３】フローチャート
【図４】スキャナの構成図
【図５】圧板読取り時のＡＣＳ設定画面
【図６】ＡＤＦ読取り時のＡＣＳ設定画面
【図７】圧板読取り時の黒文字処理設定画面
【図８】ＡＤＦ読取り時の黒文字処理設定画面
【図１】
2010021628.tif 000003
【図２】
2010021628.tif 000004
【図３】
2010021628.tif 000005
【図４】
2010021628.tif 000006
【図５】
2010021628.tif 000007
【図６】
2010021628.tif 000008
【図７】
2010021628.tif 000009
【図８】
2010021628.tif 000010